(57)【要約】【課題】利用者が映像サイズモードを切り換える手間を削減し、使い勝手の良い映像表示装置および映像表示方法を提供する。【解決手段】番組を所定の映像サイズで表示する映像信号を出力するための処理を行う表示手段５８、６２と、利用者が映像サイズを切換えた場合に設定された映像サイズ情報を番組単位で記憶する記憶手段Ｍと、利用者が番組を再度選局した場合に、選局された番組の映像サイズ情報を検索し、記憶手段Ｍに記憶した映像サイズ情報に基づいて番組の映像サイズを切り換え、利用者が番組の映像サイズ切換えかつ番組が終了した後に選局した場合、選局前に番組について画面サイズ設定を解除する映像サイズ切替手段ＳＷと、を備える映像表示装置。【選択図】図１
2010283861.tif 000002
【特許請求の範囲】
【請求項１】
番組を所定の映像サイズで表示する映像信号を出力するための処理を行う表示手段と、
利用者が映像サイズを切換えた場合に設定された映像サイズ情報を番組単位で記憶する記憶手段と、
利用者が前記番組を再度選局した場合に、選局された前記番組の映像サイズ情報を検索し、前記記憶手段に記憶した映像サイズ情報に基づいて前記番組の映像サイズを切り換え、利用者が前記番組の映像サイズ切換えかつ前記番組が終了した後に選局した場合、選局前に前記番組について画面サイズ設定を解除する映像サイズ切替手段と、を備える映像表示装置。
【請求項２】
利用者が映像サイズを切換えた場合に複数の前記映像サイズ情報をチャンネル単位で前記記憶手段に記憶する手段と、
利用者が前記チャンネルを次回選局した場合に、前記チャンネルの映像サイズ情報を検索し、前記記憶手段に記憶した映像サイズ情報に基づいて前記チャンネルの映像サイズに切り換える検索手段と、を備える請求項１記載の映像表示装置。
【請求項３】
利用者が番組の映像サイズを切換えた後に選局した場合に、選局前に前記番組について設定された映像サイズ情報を、前記記憶手段から削除する削除手段をさらに備える請求項１記載の映像表示装置。
【請求項４】
利用者が番組の映像サイズ切換えかつ前記番組が終了した後に選局した場合に、選局前に前記番組について設定された映像サイズ情報を、前記記憶手段から削除する削除手段をさらに備える請求項１記載の映像表示装置。
【請求項５】
視聴されている番組又はチャンネルが広告中かどうかを判定する広告判定手段と、前記番組又は前記チャンネルが広告中である場合に、映像サイズを初期設定に戻すリセット手段とを備える請求項１記載の映像表示装置。
【請求項６】
映像サイズを制御する時間帯を設定して前記記憶手段に記憶する時間帯設定手段と、設定時間帯か否かを確認して映像サイズを切換える時間帯映像サイズ切換手段とを備える請求項１記載の映像表示装置。
【請求項７】
利用者が番組表上で番組またはチャンネルのいずれかを選択して映像サイズを設定する設定画面を前記表示手段に表示させる手段を備える請求項１記載の映像表示装置。
【請求項８】
映像サイズを利用者が切換えた場合、前記映像サイズ情報をシリーズ単位で前記記憶手段に記憶する手段と、前記シリーズを次回選局した場合に、選局されたシリーズの映像サイズ情報を確認し、前記記憶手段に記憶した映像サイズに切り換える手段とを備える請求項１記載の映像表示装置。
【請求項９】
利用者が入力した文字列がタイトルに含まれる番組を検索する検索手段と、前記検索手段によってリストアップされた番組について、映像サイズを設定して前記記憶手段に記憶する映像サイズ設定手段と、をさらに備える請求項１記載の映像表示装置。
【請求項１０】
前記映像サイズ情報は、映像サイズが設定された番組のイベント情報と設定した映像サイズとの組であって、
前記イベント情報は、ネットワークを特定する情報と、チャンネルを特定する情報と、番組を特定する情報とを含む請求項１記載の映像表示装置。
【請求項１１】
前記映像サイズ情報を前記記憶手段に記憶するとき、前記記憶手段の空き容量が十分か否かを判定する判定手段と、前記判定手段によって前記記憶手段の空き容量が不十分であると判定された場合に、前記記憶手段に記憶された複数の映像サイズ情報の中で、設定時から最も時間が経過した映像サイズ情報を削除する削除手段をさらに備える請求項１記載の映像表示装置。
【請求項１２】
前記映像サイズ情報を前記記憶手段に記憶する前に、前記記憶手段に記憶された複数の映像サイズ情報の中で、既に終了した番組の映像サイズ設定情報を削除する削除手段をさらに備える請求項１記載の映像表示装置。
【請求項１３】
前記表示手段の表示画面を２つの領域とし、それぞれの領域に映像を表示して２画面モードとする２画面表示手段をさらに有し、
前記映像サイズ切換手段は、前記２つの映像のそれぞれについて映像サイズを切換える２画面モード映像サイズ切替手段をさらに有している請求項１記載の映像表示装置。
【請求項１４】
２画面モードで表示された番組について、１画面モードでの映像サイズ設定を確認する１画面モード映像サイズ確認手段と、１画面モードでの映像サイズがＨＤスーパーライブモードあるいはＨＤズームモードに設定されていた場合に、映像サイズを自動的にサイドカットモードに切換える１画面モード映像サイズ切換手段と、をさらに備える請求項１３記載の映像表示装置。
【請求項１５】
２画面モードでの表示について映像サイズ初期値を設定する映像サイズ初期化手段をさらに備える請求項１３記載の映像表示装置。
【請求項１６】
映像サイズ設定時に利用者が映像サイズを設定する単位を選択可能な設定メニュー画面を表示する設定メニュー表示手段をさらに備える請求項１記載の映像表示装置。
【請求項１７】
利用者による前記番組についての映像サイズ設定が実施されている場合に、前記番組の選局時および／または前記番組の画面表示時に、前記記憶手段に記憶された前記番組の映像サイズ情報を表示する映像サイズ情報表示手段をさらに備える請求項１記載の映像表示装置。
【請求項１８】
利用者が映像サイズを切換えた場合に複数の前記映像サイズ情報を番組単位で前記記憶手段に記憶し、
利用者が前記番組を再度選局した場合に、選局された番組の映像サイズ情報を検索し、前記記憶手段に記憶した映像サイズ情報に基づいて前記番組の映像サイズを切り換え、
利用者が番組の映像サイズ切換えかつ前記番組が終了した後に選局した場合、選局前に前記番組について画面サイズ設定を解除する、映像表示方法。
【発明の詳細な説明】
【技術分野】
【０００１】
本発明は映像表示装置および映像表示方法に関し、特に、映像表示サイズを変更可能な映像表示装置および映像表示方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
デジタルテレビ放送では、アスペクト比１６：９の映像だけでなく、アスペクト比が４：３の映像にサイドパネルを付けてアスペクト比を１６：９とした映像や、サイドパネルとレターボックスとを付けてアスペクト比を１６：９とした映像が放送されることがある。
【０００４】
そこで、映像表示装置は、例えば、受信したアスペクト比１６：９の映像をそのまま表示する映像サイズモード（以下、「フル」モードと言う）の他、アスペクト比が４：３の映像にサイドパネルを付けたアスペクト比１６：９の映像のサイドパネル部分を取り除き、中央の映像部分だけを画面上に表示する映像サイズモード（以下、「ＨＤスーパーライブ」モードと言う）が用意されている。
【０００５】
また、レターボックス付きの映像にさらにサイドパネルを付加した１６：９信号（俗に額縁信号と呼ばれる）が放送される場合もあり、この信号のサイドパネル部分とレターボックス部分の両方を取り除き、中央の映像部分だけを画面上に表示するための映像サイズモード（以下、「ＨＤズーム」モードと言う）も用意されている。
【０００６】
従来、デジタルテレビ放送を表示させる映像表示装置には、ユーザの過去の視聴パターンを履歴情報として、映像を様々な映像サイズで表示させる映像表示装置が提案されている（例えば特許文献１参照）。
【０００７】
また、画面に２つの映像を表示させるモード（以下、２画面モードと言う）では、例えば、アスペクト比が１６：９の画面を、アスペクト比が８：９の２つの領域に分割し、夫々の領域に画像を表示させる。
【０００８】
このとき、受信したアスペクト比１６：９の映像信号をそのまま表示する映像サイズモード（以下、「２画面フル」モードと言う）や、アスペクト比４：３の映像にサイドパネルを付けたアスペクト比１６：９の映像のサイドパネル部分を取り除いて表示する映像サイズモード（以下、「２画面サイドカット」モードと言う）等の映像サイズモードが用意されている。
【先行技術文献】
【特許文献】
【０００９】
【特許文献１】特開２００３−１７４５９号公報
【特許文献２】特開２００３−１６９２６９号公報
【発明の概要】
【発明が解決しようとする課題】
【００１０】
上記のような映像サイズモードの設定は、一時的な設定に留め、選局を実施した場合にはフルモードに戻す場合や、映像サイズモードの設定情報を不揮発メモリに記憶し、選局を実施した場合もフルモードに戻さない場合が考えられる。
【００１１】
しかし、選局を実施した場合にはフルモードに戻す場合、利用者が一度映像サイズモードを切り換えたイベントについて、ザッピングを挟むと、前回と同じイベントを視聴する際に前回設定した映像サイズで視聴することができず、利用者が再度映像サイズモードを切り換える必要があった。
【００１２】
また、映像サイズモードの設定情報を不揮発メモリに記憶し、選局を実施した場合もフルモードに戻さない場合、例えば、利用者が映像サイズモードをＨＤスーパーライブモードに設定した場合、サイドパネルの無いアスペクト比１６：９映像について、実際には映像が表示される部分が取り除かれて表示される場合があった。そのため、利用者は、例えば異なるイベントを視聴する際には、映像サイズモードを設定しなおす必要があった。
【００１３】
本発明は、上記事情に鑑みて成されたものであって、利用者が映像サイズモードを切り換える手間を削減し、使い勝手の良い映像表示装置および映像表示方法を提供することを目的とする。
【課題を解決するための手段】
【００１４】
本発明の第１態様による映像表示装置は、番組を所定の映像サイズで表示する映像信号を出力するための処理を行う表示手段と、利用者が映像サイズを切換えた場合に設定された映像サイズ情報を番組単位で記憶する記憶手段と、利用者が前記番組を再度選局した場合に、選局された前記番組の映像サイズ情報を検索し、前記記憶手段に記憶した映像サイズ情報に基づいて前記番組の映像サイズを切り換え、利用者が前記番組の映像サイズ切換えかつ前記番組が終了した後に選局した場合、選局前に前記番組について画面サイズ設定を解除する映像サイズ切替手段と、を備える。
【００１５】
本発明の第２態様による映像表示方法は、利用者が映像サイズを切換えた場合に複数の前記映像サイズ情報を番組単位で前記記憶手段に記憶し、利用者が前記番組を再度選局した場合に、選局された番組の映像サイズ情報を検索し、前記記憶手段に記憶した映像サイズ情報に基づいて前記番組の映像サイズを切り換え、利用者が番組の映像サイズ切換えかつ前記番組が終了した後に選局した場合、選局前に前記番組について画面サイズ設定を解除する。
【発明の効果】
【００１６】
本発明に係る映像表示装置によれば、利用者が映像サイズモードを切り換える手間を削減し、使い勝手の良い映像表示装置および映像表示方法を提供することができる。
【図面の簡単な説明】
【００１７】
【図１】本発明の一実施形態に係る映像表示装置の一構成例を概略的に示す図。
【図２Ａ】サイドボード付きの映像を「フル」モードで表示させたときの一表示例を示す図。
【図２Ｂ】サイドボードおよびレターボックス付きの映像を「フル」モードで表示させたときの一表示例を示す図。
【図２Ｃ】サイドボード付きの映像を「ＨＤスーパーライブ」モードで表示させたときの一表示例を示す図。
【図２Ｄ】サイドボードおよびレターボックス付きの映像を「ＨＤズーム」モードで表示させたときの一表示例を示す図。
【図３Ａ】２画面モードで映像を「２画面フル」モードで表示させたときの一表示例を示す図。
【図３Ｂ】２画面モードで映像を「２画面サイドカット」モードで表示させたときの一表示例を示す図。
【図４】本発明の第１実施形態に係る映像表示装置における映像サイズ切換制御方法の一例について説明するためのフローチャート。
【図５】本発明の第２実施形態に係る映像表示装置における映像サイズ切換制御方法の一例について説明するためのフローチャート。
【図６】本発明の第３実施形態に係る映像表示装置における映像サイズ切換制御方法の一例について説明するためのフローチャート。
【図７】本発明の第４実施形態に係る映像表示装置における映像サイズ切換制御方法の一例について説明するためのフローチャート。
【図８】本発明の第５実施形態に係る映像表示装置における映像サイズ切換制御方法の一例について説明するためのフローチャート。
【図９】本発明の第６実施形態に係る映像表示装置における映像サイズ切換制御方法の一例について説明するためのフローチャート。
【図１０】本発明の第７実施形態に係る映像表示装置における映像サイズ切換制御方法の一例について説明するためのフローチャート。
【図１１】本発明の第８実施形態に係る映像表示装置における映像サイズ切換制御方法の一例について説明するためのフローチャート。
【図１２】本発明の第９実施形態に係る映像表示装置における映像サイズ切換制御方法の一例について説明するためのフローチャート。
【図１３】本発明の第１０実施形態に係る映像表示装置における映像サイズ切換制御方法の一例について説明するためのフローチャート。
【図１４】本発明の第１１実施形態に係る映像表示装置における映像サイズ切換制御方法の一例について説明するためのフローチャート。
【図１５】本発明の第１２実施形態に係る映像表示装置における映像サイズ切換制御方法の一例について説明するためのフローチャート。
【図１６】本発明の第１３実施形態に係る映像表示装置における映像サイズ切換制御方法の一例について説明するためのフローチャート。
【図１７】本発明の第１４実施形態に係る映像表示装置における映像サイズ切換制御方法の一例について説明するためのフローチャート。
【図１８】本発明の第１５実施形態に係る映像表示装置における画面サイズ設定画面の一例を示す図。
【図１９】本発明の第１６実施形態に係る映像表示装置における映像サイズ情報表示画面の一例を示す図。
【発明を実施するための形態】
【００１８】
以下に、本発明の第１実施形態に係る映像表示装置について図面を参照して説明する。本実施形態に係る映像表示装置は、図１に示すようなデジタルテレビジョン放送受信装置１１である。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００１９】
そして、このチューナ４９で選局された放送信号は、ＰＳＫ（phase shift keying）復調器５０に供給されて、デジタルの映像信号及び音声信号に復調された後、信号処理部５１に出力される。
【００２０】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００２１】
そして、このチューナ５４で選局された放送信号は、ＯＦＤＭ（orthogonal frequency division multiplexing）復調器５５に供給されて、デジタルの映像信号及び音声信号に復調された後、上記信号処理部５１に出力される。
【００２２】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調器５７に供給されてアナログの映像信号及び音声信号に復調された後、上記信号処理部５１に出力される。
【００２３】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００２４】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００２５】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００２６】
このうち、グラフィック処理部５８は、信号処理部５１から供給されるデジタルの映像信号に、ＯＳＤ（on screen display）信号生成部５１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力をそれぞれ画面の半分を構成するように組み合わせて出力することができる。
【００２７】
そして、グラフィック処理部５８から出力されたデジタルの映像信号は、映像処理部６２に供給される。この映像処理部６２は、入力されたデジタルの映像信号を、映像表示器１４で表示可能なフォーマットのアナログ映像信号に変換した後、映像表示器１４に出力して映像表示させるとともに、出力端子６３を介して外部に導出させる。本実施形態に係る映像表示器１４は、アスペクト比が１６：９の画面を有している。
【００２８】
また、上記音声処理部５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００２９】
ここで、このデジタルテレビジョン放送受信装置１１は、上記した各種の受信動作を含むその全ての動作を制御部６５によって統括的に制御されている。この制御部６５は、ＣＰＵ（central processing unit）等を内蔵しており、前記操作部１６からの操作情報、または、前記リモートコントローラ１７から送出され受光部１８を介して受信した操作情報を受けて、その操作内容が反映されるように各部をそれぞれ制御している。
【００３０】
この場合、制御部６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００３１】
また、制御部６５は、カードＩ／Ｆ（interface）６９を介して、前記第１のメモリカード１９が装着可能なカードホルダ７０に接続されている。これによって、制御部６５は、カードホルダ７０に装着された第１のメモリカード１９と、カードＩ／Ｆ６９を介して情報伝送を行なうことができる。
【００３２】
また、制御部６５は、通信Ｉ／Ｆ７３を介してＬＡＮ端子２１と接続されている。これにより、制御部６５は、ＬＡＮ端子２１に接続されたＬＡＮ対応のＨＤＤ（図示せず）と、通信Ｉ／Ｆ７３を介して情報伝送を行なうことができる。この場合、制御部６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００３３】
さらに、制御部６５は、第１のＨＤＭＩ Ｉ／Ｆ７４を介して第１のＨＤＭＩ端子２２と接続されている。これにより、制御部６５は、第１のＨＤＭＩ端子２２に接続された各機器（図示せず）と、第１のＨＤＭＩ Ｉ／Ｆ７４を介して情報伝送を行なうことができる。また、制御部６５は、第２のＨＤＭＩ Ｉ／Ｆ７５を介して第２のＨＤＭＩ端子２３と接続されている。これにより、制御部６５は、第２のＨＤＭＩ端子２３に接続された各機器（図示せず）と、第２のＨＤＭＩ Ｉ／Ｆ７５を介して情報伝送を行なうことができる。
【００３４】
そして、制御部６５は、ＵＳＢ Ｉ／Ｆ７６を介して前記ＵＳＢ端子２４と接続されている。これにより、制御部６５は、ＵＳＢ端子２４に接続された各機器（図示せず）と、ＵＳＢ Ｉ／Ｆ７６を介して情報伝送を行なうことができる。
【００３５】
さらに、制御部６５は、ｉ．ＬＩＮＫ Ｉ／Ｆ７７を介してｉ．ＬＩＮＫ端子２５と接続されている。これにより、制御部６５は、ｉ．ＬＩＮＫ端子２５に接続された各機器（図示せず）と、ｉ．ＬＩＮＫ Ｉ／Ｆ７７を介して情報伝送を行なうことができる。
【００３６】
さらに、制御部６５は、映像表示器１４に表示される映像のサイズを変更する映像サイズ切換部ＳＷと、所定単位で設定された映像サイズが記録される記憶手段として映像サイズメモリＭを備えている。本実施形態に係る映像サイズ切換部ＳＷには、イベント（番組）毎に設定された映像サイズが記録される。
【００３７】
映像サイズ切換部ＳＷは、リモートコントローラ１７の操作等によって映像サイズを切替える指令が入力された場合に、設定された映像サイズを映像サイズメモリＭに記憶する。例えば、映像サイズをＨＤスーパーライブに切替える指令が入力された場合、映像サイズ切換部ＳＷは、映像サイズを切替えたイベント（番組）のイベントＩＤと、設定された映像サイズとを含む情報を映像サイズ情報として映像サイズメモリＭに記憶させる。なお、本実施形態に係る映像表示装置では、映像サイズの初期設定は「フル」となっている。
【００３８】
また、映像サイズ切換部ＳＷは、利用者が選局した場合に、選択されたイベントの映像サイズ情報が映像サイズメモリＭに記憶されているか否かを確認する。選択されたイベントについて、映像サイズメモリＭに映像サイズが記憶されている場合には、映像サイズ切換部ＳＷは、映像サイズメモリＭに記憶された映像サイズでイベントを表示させる。
【００３９】
例えば、利用者によってイベントが選択され、選択されたイベントについて映像サイズメモリＭに記憶された映像サイズが「ＨＤスーパーライブ」である場合、映像サイズ切換部ＳＷは、利用者によって選択されたイベントを「ＨＤスーパーライブ」モードで表示させる。
【００４０】
すなわち、図４に示すように、利用者がリモートコントローラ１７を操作すること等によってイベントが選択されると、まず、映像サイズ切換部ＳＷは利用者が選択したイベントについて映像サイズ切換が実施されたか否かを調べる（ステップＳＴＡ１）。
【００４１】
選択されたイベントについて映像サイズ切換が実施されていない場合（ステップＳＴＡ２）、映像サイズ切換部ＳＷは、選択されたイベントを表示させる際に制御すべき映像サイズを「フル」と判定する（ステップＳＴＡ５）。
【００４２】
この場合、例えば、選択されたイベントが、アスペクト比が４：３の映像にサイドパネルＳＰを付けたアスペクト比１６：９の映像である場合には、図２Ａに示すようにサイドパネルＳＰ付きのアスペクト比１６：９の映像が画面ＤＹＰに表示される。
【００４３】
また、選択されたイベントが、サイドパネルＳＰおよびレターボックス付きのアスペクト比１６：９の映像である場合には、図２Ｂに示すように、サイドパネルＳＰおよびレターボックスＬＢ付きのアスペクト比１６：９の映像が画面ＤＹＰに表示される。
【００４４】
選択されたイベントについて映像サイズ切換が実施されている場合（ステップＳＴＡ２）、映像サイズ切換部ＳＷは、イベント毎に映像サイズメモリＭに記憶した映像サイズを調べる（ステップＳＴＡ３）。
【００４５】
映像サイズ切換部ＳＷは、選択されたイベントについて映像サイズメモリＭに記憶した映像サイズが「フル」の場合、制御すべき映像サイズを「フル」と判定する（ステップＳＴＡ５）。
【００４６】
映像サイズ切換部ＳＷは、選択されたイベントについて映像サイズメモリＭに記憶した映像サイズが「ＨＤスーパーライブ」の場合、制御すべき映像サイズを「ＨＤスーパーライブ」と判定する（ステップＳＴＡ６）。
【００４７】
この場合、選択されたイベントが、アスペクト比が４：３の映像にサイドパネルＳＰを付けたアスペクト比１６：９の映像である場合には、図２Ｃに示すように、サイドパネルＳＰ部分を取り除いた映像がアスペクト比１６：９となるように処理されて表示される。
【００４８】
映像サイズ切換部ＳＷは、選択されたイベントについて映像サイズメモリＭに記憶した映像サイズが「ＨＤズーム」の場合、制御すべき映像サイズを「ＨＤズーム」と判定する（ステップＳＴＡ７）。
【００４９】
この場合、選択されたイベントが、サイドパネルＳＰおよびレターボックス付きのアスペクト比１６：９の映像である場合には、図２Ｄに示すように、サイドパネルＳＰおよびレターボックスＬＢの部分を取り除いた映像がアスペクト比１６：９の画面ＤＹＰのサイズとなるように処理されて表示される。
【００５０】
映像サイズ切換部ＳＷは、制御すべき映像サイズ情報が決まったところで、現在表示されている映像サイズに変化があるか否かを判定する（ステップＳＴＡ８）。制御すべき映像サイズが現在表示されている映像サイズに対して変化ありの場合、映像サイズの変更処理を実施する（ステップＳＴＡ９）。制御すべき映像サイズが現在表示されている映像サイズに対して変化なしの場合、映像サイズ切換部ＳＷは映像サイズの変更処理は実施しない。
【００５１】
上記のように、アスペクト比１６：９の映像で、映像サイズを「ＨＤスーパーライブ」や「ＨＤズーム」に切換えた場合、映像サイズ切換部ＳＷは、イベント毎に映像サイズ情報を映像サイズメモリＭに記憶し、イベントが選局された場合には、選局先イベントの映像サイズ情報を確認して、映像サイズメモリＭに記憶された映像サイズに切り換える。
【００５２】
これにより、利用者が一度映像サイズを切り換えたイベントについては、ザッピングを挟んでも、常にテレビ利用者が前回設定した映像サイズで視聴できるため、利用者が映像サイズモードを切り換える手間を削減することができる。
【００５３】
また、サイドパネルの無い真のアスペクト比１６：９の映像について、実際には映像が載っているサイドパネル部分を誤って切り落とす問題を予防できる。さらに、映像サイズモードの設定情報を不揮発メモリに記憶し、選局を実施した場合もフルモードに戻さない場合には、ザッピングした先の真の１６：９映像を「フル」で見たい場合に、ザッピングしたときとザッピングから戻ったときの２回、映像サイズを切り換える必要があるが、本実施形態に係る映像表示装置および映像表示方法によれば、利用者はザッピングの際に映像サイズ切換操作をする必要がなく、利用者が映像サイズモードを切り換える手間を削減することができる。
【００５４】
すなわち、本実施形態に係る映像表示装置および映像表示方法によれば、利用者が映像サイズモードを切り換える手間を削減し、使い勝手の良い映像表示装置および映像表示方法を提供することができる。
【００５５】
次に、本発明の第２実施形態に係る映像表示装置および映像表示方法について図面を参照して以下に説明する。なお、以下の説明について上述の第１実施形態に係る映像表示装置および映像表示方法と同様の構成については、同一の符号を付して説明を省略する。
【００５６】
本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、サービス（チャンネル）毎に設定された映像サイズが記録される記憶手段として映像サイズメモリＭを備えている。
【００５７】
映像サイズ切換部ＳＷは、リモートコントローラ１７の操作等によって映像サイズを切替える指令が入力された場合に、設定された映像サイズを映像サイズメモリＭに記憶する。例えば、映像サイズをＨＤスーパーライブに切替える指令が入力された場合、映像サイズ切換部ＳＷは、映像サイズを切替えたサービスのサービスＩＤと、設定された映像サイズとを含む情報を映像サイズ情報として映像サイズメモリＭに記憶させる。
【００５８】
また、映像サイズ切換部ＳＷは、利用者が選局した場合に、選択されたサービスの映像サイズ情報が映像サイズメモリＭに記憶されているか否かを確認する。選択されたサービスについて、映像サイズメモリＭに映像サイズが記憶されている場合には、映像サイズ切換部ＳＷは、映像サイズメモリＭに記憶された映像サイズで映像を表示させる。
【００５９】
例えば、利用者によってサービスが選択され、選択されたサービスについて映像サイズメモリＭに記憶された映像サイズがＨＤスーパーライブである場合、映像サイズ切換部ＳＷは、利用者によって選択されたサービスをＨＤスーパーライブモードで表示させる。
【００６０】
上記のように、本実施形態に係る映像表示装置では、イベント単位ではなく、サービス単位で切り換えられた映像サイズ情報を記憶する。サービスによって、サイドパネルの付いた映像を多く放送するサービスと、サイドパネルの付いた映像をあまり放送しないサービスがある。したがって、サイドパネル付きの映像を多く放送するサービスについては、映像サイズをＨＤスーパーライブと設定し、サイドパネルの付いた映像をあまり放送しないサービスについては、映像サイズをフルと設定することによって、利用者が映像サイズを切替える手間を削減でき、利用者の使い勝手を向上できる。
【００６１】
また、映像に付加される時刻表示や字幕などのテロップ表示は、サービスによってその表示位置に傾向がある。例えば、サイドパネルの無い真の１６：９映像であっても、サイドパネル部分を避けてテロップを付加するサービスや、サイドパネル付きの１６：９映像でも、サイドパネル部分に被せて時刻表示などのテロップを表示するサービスがある。このようにテロップを載せる位置については、サービス毎に傾向がある。
【００６２】
サイドパネル部分をカットしてもテロップ表示が切れない映像はサイドパネルをカットして視聴し、サイドパネル部分をカットするとテロップ表示が切れてしまう映像はサイドパネルをカットせずに視聴するように、利用者が映像サイズ制御する場合を考えると、サービス単位で映像サイズ情報を記憶させることで、選局の度に映像サイズを切り換える手間を削減でき、利用者の使い勝手を向上できる。
【００６３】
次に、サービス情報を利用した映像サイズ制御の動作の一例について説明する。まず、利用者がリモートコントローラ１７を操作すること等によってサービスが選択されると、映像サイズ切換部ＳＷは、選択されたサービスについて映像サイズ切換を実施されているか否かを調べる（ステップＳＴＢ１）。
【００６４】
選択されたサービスについて映像サイズ切換実施なしの場合（ステップＳＴＢ２）、映像サイズ切換部ＳＷは、制御すべき映像サイズを「フル」と判定する（ステップＳＴＢ５）。選択されたサービスについて映像サイズ切換実施ありの場合（ステップＳＴＢ２）、映像サイズ切換部ＳＷは、サービス毎に映像サイズメモリＭに記憶された映像サイズを調べる（ステップＳＴＢ３）。
【００６５】
映像サイズメモリＭに記憶された映像サイズが「フル」の場合、映像サイズ切換部ＳＷは、制御すべき映像サイズを「フル」と判定する（ステップＳＴＢ５）。映像サイズメモリＭに記憶された映像サイズが「ＨＤスーパーライブ」の場合、映像サイズ切換部ＳＷは、制御すべき映像サイズを「ＨＤスーパーライブ」と判定する（ステップＳＴＢ６）。映像サイズメモリＭに記憶された映像サイズが「ＨＤズーム」の場合、映像サイズ切換部ＳＷは、制御すべき映像サイズを「ＨＤズーム」と判定する（ステップＳＴＢ７）。
【００６６】
制御すべき映像サイズ情報が決まったところで、映像サイズ切換部ＳＷは、現在表示されている映像の映像サイズに対して、制御すべき映像サイズは変化があるかを判定する（ステップＳＴＢ８）。現在表示されている映像の映像サイズに対して、制御すべき映像サイズが変化ありの場合、映像サイズ切換部ＳＷは映像サイズの変更処理を実施する（ステップＳＴＢ９）。変化なしの場合、映像サイズ切換部ＳＷは映像サイズの変更処理は実施しない。
【００６７】
上記のように、アスペクト比１６：９の映像で、映像サイズを「ＨＤスーパーライブ」や「ＨＤズーム」に切換えた場合、映像サイズ切換部ＳＷは、サービス毎に映像サイズ情報を映像サイズメモリＭに記憶し、サービスが選局された場合には、選局先サービスの映像サイズ情報を確認して、映像サイズメモリＭに記憶された映像サイズに切り換える。
【００６８】
このようにサービス単位で映像サイズの記憶および制御を行うことによって、サイドパネルのついた映像を多く放送するサービス、サイドパネルの付いた映像をあまり放送しないサービスというように、サービスによって放送映像の傾向がある場合、また、映像に付加される時刻表示や字幕などのテロップ表示がサイドパネル部分に掛かるサービス、テロップ表示がサイドパネル部分に掛からないサービスというように、サービスによってテロップの表示位置に傾向がある場合、選局の度に映像サイズを切り換える手間を削減できる。
【００６９】
すなわち、本実施形態に係る映像表示装置および映像表示方法によれば、利用者が映像サイズモードを切り換える手間を削減し、使い勝手の良い映像表示装置および映像表示方法を提供することができる。
【００７０】
次に、本発明の第３実施形態に係る映像表示装置および映像表示方法について、図面を参照して以下に説明する。
【００７１】
本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記録される記憶手段として映像サイズメモリＭを備えている。
【００７２】
映像サイズ切換部ＳＷは、映像サイズを「フル」に戻す条件として、映像サイズ切換後に選局を実施したことを加える。すなわち、複数のイベントに渡ってサイドパネル付きの映像で連続して放送されるときなど、イベントを跨いで「ＨＤスーパーライブ」の映像サイズのままで見たい場合には、次のイベントに移ったら再度映像サイズを「ＨＤスーパーライブ」に切り換える必要があり、これは利用者にとって非常に手間である。
【００７３】
そこで、本実施形態に係る映像表示装置では、映像サイズ切換部ＳＷが映像サイズを「フル」に戻す条件として、映像サイズ切換後に選局を実施したかどうかを加える。このような制御を実施することで、イベントを跨いでも、映像サイズ切換後に選局を実施しない限り、「ＨＤスーパーライブ」または「ＨＤズーム」の状態を保持することができ、利用者がイベント変化の度に映像サイズを切り換える手間が削減でき、利用者の使い勝手が向上される。
【００７４】
以下に、映像サイズ切換後の選局実施を加味した、映像サイズ切換部ＳＷの映像サイズ制御動作の一例について、図６を参照して説明する。イベントが開始されると、まず、映像サイズ切換部ＳＷは、開始されたイベントが映像サイズ切換を実施したイベントか否かを調べる（ステップＳＴＣ１）。
【００７５】
開始されたイベントが映像サイズ切換実施なしイベントである場合、映像サイズ切換部ＳＷは、映像サイズ切換後に選局が実施されたか調べる（ステップＳＴＣ８）。映像サイズ切換後に選局実施ありの場合、映像サイズ切換部ＳＷは、制御すべき映像サイズを「フル」と判定する。映像サイズ切換後に選局実施なしの場合、映像サイズ切換部ＳＷは何もせず映像サイズ制御処理を抜けて、現在選択中の映像サイズを保持する。
【００７６】
開始されたイベントが映像サイズ切換実施ありイベントである場合、映像サイズ切換部ＳＷは、イベント毎に映像サイズメモリＭに記憶した映像サイズを調べる（ステップＳＴＣ３）。
【００７７】
映像サイズメモリＭに記憶された映像サイズが「フル」の場合、映像サイズ切換部ＳＷは、制御すべき映像サイズを「フル」と判定する（ステップＳＴＣ３）。記憶した映像サイズが「ＨＤスーパーライブ」の場合、映像サイズ切換部ＳＷは、制御すべき映像サイズを「ＨＤスーパーライブ」と判定する（ステップＳＴＣ６）。記憶した映像サイズが「ＨＤズーム」の場合、映像サイズ切換部ＳＷは、制御すべき映像サイズを「ＨＤズーム」と判定する（ステップＳＴＣ７）。
【００７８】
制御すべき映像サイズ情報が決まったところで、映像サイズ切換部ＳＷは、現在表示されている映像の映像サイズに対して、制御すべき映像サイズは変化があるかを判定する（ステップＳＴＣ１０）。
【００７９】
現在表示されている映像の映像サイズに対して、制御すべき映像サイズが変化ありの場合、映像サイズ切換部ＳＷは映像サイズの変更処理を実施する（ステップＳＴＣ１１）。現在表示されている映像の映像サイズに対して、制御すべき映像サイズが変化なしの場合、映像サイズ切換部ＳＷは映像サイズの変更処理は実施しない。
【００８０】
上記のように、本実施形態に係る映像表示装置および映像表示方法では、映像サイズを「フル」に戻すトリガー条件として、映像サイズ切換後の選局を加えたている。すなわち、第１実施形態に係る映像表示装置および映像表示方法では、映像サイズを切り換えたイベントが終了した途端に映像サイズが「フル」に戻ることになる。
【００８１】
したがって、サイドパネルの付いたイベントが連続するときなど、イベントを跨いで「ＨＤスーパーライブ」の映像サイズのままで見たい場合には、次のイベントに移ったら再度映像サイズを「ＨＤスーパーライブ」に切り換える必要がある。
【００８２】
これに対し、本実施形態に係る映像表示装置および映像表示方法では、映像サイズを「フル」に戻す条件として、映像サイズ切換後に選局を実施したかどうかを加えることで、この手間を削減できる。
【００８３】
すなわち、本実施形態に係る映像表示装置および映像表示方法では、イベントを跨いでも、映像サイズ切換後に選局を実施しない限り、「ＨＤスーパーライブ」または「ＨＤズーム」の状態を保持することができ、イベント変化の度に映像サイズを切り換える手間を削減できる。
【００８４】
すなわち、本実施形態に係る映像表示装置および映像表示方法によれば、利用者が映像サイズモードを切り換える手間を削減し、使い勝手の良い映像表示装置および映像表示方法を提供することができる。
【００８５】
次に、本発明の第４実施形態に係る映像表示装置および映像表示方法について、図面を参照して説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記録される記憶手段として映像サイズメモリＭを備えている。
【００８６】
本実施形態に係る映像表示装置では、映像サイズ切換部ＳＷは、映像サイズを「フル」に戻す条件として、映像サイズを切り換えたイベントが終了した後に、選局を実施したこととしている。
【００８７】
上述の第３実施形態に係る映像表示装置では、映像サイズを切り換えた後に一度ザッピングをしてしまうと、映像サイズを切り換えた対象イベントを視聴中は、「ＨＤスーパーライブ」の映像サイズを保持するが、対象イベントが終了した途端に映像サイズが「フル」に戻る。
【００８８】
これに対し、映像サイズを切り換えたイベントが終了した後に選局を実施したかどうかという判定方法にすることで、イベントを跨いでも、映像サイズを切り換えたイベントが終了した後に選局を実施しない限り、映像サイズは「ＨＤスーパーライブ」または「ＨＤズーム」の状態を保持することがでる。その結果、利用者がイベント変化の度に映像サイズを切り換える手間が削減でき、利用者の使い勝手が向上される。
【００８９】
以下に、映像サイズ切換後の選局実施を加味した、映像サイズ切換部ＳＷの映像サイズ制御動作の一例について、図７を参照して説明する。イベントが開始されると、まず、映像サイズ切換部ＳＷは、視聴イベントが映像サイズ切換を実施したイベントか否かを調べる（ステップＳＴＤ１）。
【００９０】
視聴イベントが映像サイズ切換実施なしイベントである場合、映像サイズ切換部ＳＷは、映像サイズ切換実施イベントが終了後に選局が実施されたか否か調べる（ステップＳＴＤ８）。
【００９１】
映像サイズ切換実施イベント終了後に選局実施ありの場合（ステップＳＴＤ９）、映像サイズ切換部ＳＷは、制御すべき映像サイズを「フル」と判定する（ステップＳＴＤ５）。このとき、映像サイズ切換の実施自体が無い場合も、映像サイズ切換部ＳＷは映像サイズ切換実施イベント終了後に選局実施ありと判定する。
【００９２】
映像サイズ切換実施イベント終了後に選局実施なしの場合、映像サイズ切換部ＳＷは何もせず映像サイズ制御処理を抜けて、現在選択中の映像サイズを保持する。映像サイズ切換実施ありイベントの場合、映像サイズ切換部ＳＷは、イベント毎に映像サイズメモリＭに記憶した映像サイズを調べる（ステップＳＴＤ３）。
【００９３】
映像サイズメモリＭに記憶した映像サイズが「フル」の場合、映像サイズ切換部ＳＷは、制御すべき映像サイズを「フル」と判定する（ステップＳＴＤ５）。映像サイズメモリＭに記憶した映像サイズが「ＨＤスーパーライブ」の場合、映像サイズ切換部ＳＷは制御すべき映像サイズを「ＨＤスーパーライブ」と判定する（ステップＳＴＰ６）。映像サイズメモリＭに記憶した映像サイズが「ＨＤズーム」の場合、映像サイズ切換部ＳＷは制御すべき映像サイズを「ＨＤズーム」と判定する（ステップＳＴＤ７）。
【００９４】
制御すべき映像サイズ情報が決まったところで、映像サイズ切換部ＳＷは、現在表示されている映像の映像サイズに対して、制御すべき映像サイズは変化があるか否かを判定する（ステップＳＴＤ１０）。現在表示されている映像の映像サイズに対して、制御すべき映像サイズが変化ありの場合、映像サイズ切換部ＳＷは映像サイズの変更処理を実施する（ステップＳＴＤ１１）。現在表示されている映像の映像サイズに対して、制御すべき映像サイズが変化なしの場合、映像サイズ切換部ＳＷは映像サイズの変更処理は実施しない。
【００９５】
上記のように、映像表示装置および映像再生方法では、映像サイズを「フル」に戻すトリガー条件として映像サイズ切換実施イベント終了後の選局を加えた。上述の第３実施形態に係る映像表示装置および映像表示方法では、映像サイズを切り換えた後に一度でもザッピングすると、対象イベントが終了した途端に映像サイズが「フル」に戻る。
【００９６】
この場合、複数のイベントに渡ってサイドパネルの付いたアスペクト比１６：９の映像が連続するときなど、イベントを跨いで「ＨＤスーパーライブ」の映像サイズのままで見たい場合には、次のイベントに移ったら再度映像サイズを「ＨＤスーパーライブ」に切り換える必要がある。
【００９７】
一方、本実施形態に係る映像表示装置および映像表示方法では、映像サイズを「フル」に戻すトリガー条件として映像サイズ切換実施イベント終了後の選局を加えることで、対象イベントが終了した途端に映像サイズが「フル」に戻る現象を回避でき、サイドパネルの付いたイベントが連続するときなど、イベント変化の度に映像サイズを切り換える手間を削減できる。
【００９８】
すなわち、本実施形態に係る映像表示装置および映像表示方法によれば、利用者が映像サイズモードを切り換える手間を削減し、使い勝手の良い映像表示装置および映像表示方法を提供することができる。
【００９９】
次に、本発明の第５実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記録される記憶手段として映像サイズメモリＭを備えている。
【０１００】
本実施形態に係る映像表示装置では、映像サイズ切換部ＳＷは、視聴されている映像がＣＭ（commercial message）中かどうかを判定し、ＣＭ中なら映像サイズを「フル」に戻す手段を有している。なお、ＣＭ中かどうかの判定は、音声モードの変化などを検出するなどの方法によって行う。
【０１０１】
イベントの本編映像がサイドパネルを伴う映像であっても、同一イベント中のＣＭ映像がサイドパネルを伴う映像であるとは限らない。本編映像に合わせて、映像サイズを「HDスーパーライブ」にした場合、ＣＭ映像のサイドパネル部分も切れてしまう。サイドパネル部分にも映像が載っているＣＭの場合、ＣＭの情報が欠けてしまうことにある。音声モードの変化などを検出して、ＣＭ中かどうかを判定し、ＣＭ中なら映像サイズを「フル」に戻すことで、ＣＭの情報が欠けてしまう問題を解決できる。また、本編とＣＭの切り換わりの度に映像サイズを切り換える手間が削減でき、利用者の使い勝手が向上される。
【０１０２】
以下に、ＣＭ中は自動的に映像サイズを「フル」にする映像サイズ制御動作の一例を図８を参照して説明する。まず、イベントが開始すると、映像サイズ切換部ＳＷは、視聴イベントが映像サイズ切換を実施したイベントか否か調べる（ステップＳＴＥ１）。
【０１０３】
視聴イベントが映像サイズ切換実施なしイベントである場合（ステップＳＴＥ２）、映像サイズ切換部ＳＷは、映像サイズ切換実施イベントが終了後に選局が実施されたか調べる（ステップＳＴＥ８）。このとき映像サイズ切換部ＳＷは、映像サイズ切換の実施自体が無い場合であっても、映像サイズ切換実施イベント終了後に選局実施ありと判定する。
【０１０４】
映像サイズ切換実施イベント終了後に選局実施ありの場合、映像サイズ切換部ＳＷは、制御すべき映像サイズを「フル」と判定する（ステップＳＴＥ５）。映像サイズ切換実施イベント終了後に選局実施なしの場合、映像サイズ切換部ＳＷは、何もせず映像サイズ制御処理を抜けて、現在選択中の映像サイズを保持する。
【０１０５】
視聴イベントが映像サイズ切換実施ありイベントである場合（ステップＳＴＥ２）、映像サイズ切換部ＳＷは、イベント毎に映像サイズメモリＭに記憶した映像サイズを調べる（ステップＳＴＥ３）。
【０１０６】
映像サイズメモリＭに記憶した映像サイズが「フル」の場合、映像サイズ切換部ＳＷは、制御すべき映像サイズを「フル」と判定する（ステップＳＴＥ５）。映像サイズメモリＭに記憶した映像サイズが「ＨＤスーパーライブ」の場合、映像サイズ切換部ＳＷは、制御すべき映像サイズを一旦「ＨＤスーパーライブ」と判定する（ステップＳＴＥ６）。映像サイズメモリＭに記憶した映像サイズが「ＨＤズーム」の場合、映像サイズ切換部ＳＷは、制御すべき映像サイズを一旦「ＨＤズーム」と判定する（ステップＳＴＥ７）。
【０１０７】
映像サイズメモリＭに記憶した映像サイズが「ＨＤスーパーライブ」若しくは「ＨＤズーム」と判定された場合は、映像サイズ切換部ＳＷは、さらに視聴イベントがＣＭ中かどうかを判定する（ステップＳＴＥ１０）。視聴イベントがＣＭ中と判定された場合、映像サイズ切換部ＳＷは、制御すべき映像サイズを「フル」とする（ステップＳＴＥ１１）。
【０１０８】
制御すべき映像サイズ情報が決まったところで、映像サイズ切換部ＳＷは、現在視聴されている映像の映像サイズに対して、制御すべき映像サイズは変化があるか否か判定する（ステップＳＴＥ１２）。
【０１０９】
現在視聴されている映像の映像サイズに対して、制御すべき映像サイズが変化ありの場合、映像サイズ切換部ＳＷは映像サイズの変更処理を実施する（ステップＳＴＥ１３）。現在視聴されている映像の映像サイズに対して、制御すべき映像サイズが変化なしの場合、映像サイズの変更処理は実施しない。
【０１１０】
上記のように、本実施形態に係る映像表示装置は、視聴イベントがＣＭ中であるか否かを判定し、視聴イベントがＣＭ中である場合に映像サイズを「フル」に戻す映像サイズ制御手段を有している。
【０１１１】
このことによって、視聴イベントがＣＭ中であるときに、ＣＭの映像情報が欠ける現象を回避できる。また、視聴イベントの本編とＣＭとの切り換わりの度に利用者が映像サイズを切り換える手間を削減できる。
【０１１２】
すなわち、本実施形態に係る映像表示装置および映像表示方法によれば、利用者が映像サイズモードを切り換える手間を削減し、使い勝手の良い映像表示装置および映像表示方法を提供することができる。
【０１１３】
次に、本発明の第６実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズ等が記録される記憶手段として映像サイズメモリＭを備えている。
【０１１４】
本実施形態に係る映像表示装置では、映像サイズ切換部ＳＷは、映像サイズを制御する日付または曜日と時間帯を予め設定し、この設定に従って映像サイズを制御する手段をさらに有している。映像サイズを制御する日付または曜日と時間帯と映像サイズとは、映像サイズ情報として映像サイズメモリＭに記憶される。
【０１１５】
これにより、時間帯により自動的に映像サイズが切り換わるため、時間帯により映像サイズを切り換える手間が削減でき、利用者の使い勝手が向上される。なお、映像サイズを制御する日付または曜日と時間帯の情報と一緒にサービス情報も設定しても良い。
【０１１６】
次に、映像サイズを制御する時間帯を予め設定する映像サイズ制御動作の一例について図９を参照して説明する。利用者のリモートコントローラ１７の操作等によってイベントが選択されると、まず、映像サイズ切換部ＳＷは視聴イベントが映像サイズ切換を実施したイベントか否か調べる（ステップＳＴＦ１）。
【０１１７】
映像サイズ切換実施なしイベントの場合（ステップＳＴＦ２）、映像サイズ切換部ＳＷは、映像サイズ設定されている時間帯かどうか調べる（ステップＳＴＦ８）。現在時刻が映像サイズ設定されている時間帯に該当しない場合は（ステップＳＴＦ９）、映像サイズ切換部ＳＷは、制御すべき映像サイズを「フル」と判定する（ステップＳＴＦ５）。
【０１１８】
現在時刻が映像サイズ設定されている時間帯に該当する場合は（ステップＳＴＦ９）、映像サイズ切換部ＳＷは、映像サイズメモリＭに記憶された映像サイズ情報に基づいて、現在時刻が含まれる時間帯に設定されている映像サイズを調べる（ステップＳＴＦ１０）。
【０１１９】
映像サイズメモリＭに記憶した映像サイズが「フル」の場合（ステップＳＴＦ１１）、映像サイズ切換部ＳＷは制御すべき映像サイズを「フル」と判定する（ステップＳＴＦ５）。映像サイズメモリＭに記憶した映像サイズが「ＨＤスーパーライブ」の場合（ステップＳＴＦ１１）、映像サイズ切換部ＳＷは制御すべき映像サイズを「ＨＤスーパーライブ」と判定する（ステップＳＴＦ６）。映像サイズメモリＭに記憶した映像サイズが「ＨＤズーム」の場合、映像サイズ切換部ＳＷは制御すべき映像サイズを「ＨＤズーム」と判定する（ステップＳＴＦ７）。
【０１２０】
映像サイズ切換実施ありイベントの場合（ステップＳＴＦ２）、映像サイズ切換部ＳＷはイベント毎に映像サイズメモリＭに記憶した映像サイズを調べる（ステップＳＴＦ３）。映像サイズメモリＭに記憶した映像サイズが「フル」の場合（ステップＳＴＦ４）、映像サイズ切換部ＳＷは制御すべき映像サイズを「フル」と判定する（ステップＳＴＦ５）。映像サイズメモリＭに記憶した映像サイズが「ＨＤスーパーライブ」の場合（ステップＳＴＦ６）、映像サイズ切換部ＳＷは制御すべき映像サイズを「ＨＤスーパーライブ」と判定する（ステップＳＴＦ６）。映像サイズメモリＭ記憶した映像サイズが「ＨＤズーム」の場合（ステップＳＴＦ４）、映像サイズ切換部ＳＷは制御すべき映像サイズを「ＨＤズーム」と判定する（ステップＳＴＦ７）。
【０１２１】
制御すべき映像サイズ情報が決まったところで、映像サイズ切換部ＳＷは、視聴イベントの映像サイズに対して、制御すべき映像サイズは変化があるか否かを判定する（ステップＳＴＦ１２）。視聴イベントの映像サイズに対して、制御すべき映像サイズが変化ありの場合、映像サイズ切換部ＳＷは映像サイズの変更処理を実施する（ステップＳＴＦ１３）。視聴イベントの映像サイズに対して、制御すべき映像サイズが変化なしの場合、映像サイズ切換部ＳＷは映像サイズの変更処理は実施しない。
【０１２２】
上記のように、本実施形態に係る映像表示装置および映像表示方法では、映像サイズを制御する時間帯を設定している。このことによって、時間帯により自動的に映像サイズが切り換わるため、利用者が時間帯により映像サイズを切り換える手間を削減することができる。
【０１２３】
すなわち、本実施形態に係る映像表示装置および映像表示方法によれば、利用者が映像サイズモードを切り換える手間を削減し、使い勝手の良い映像表示装置および映像表示方法を提供することができる。
【０１２４】
次に、本発明の第７実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記録される記憶手段として映像サイズメモリＭを備えている。
【０１２５】
本実施形態に係る映像表示装置は、映像サイズ切換部ＳＷは、ネットワーク等を介して得られる電子番組表（ＥＰＧ）に基づいて番組表を表示させ、番組表上で選択したイベントの映像サイズを設定する手段を有している。設定された映像サイズは、イベントＩＤとともに映像サイズメモリＭに記憶される。
【０１２６】
このように、映像サイズ切換部ＳＷが番組表上で選択したイベントの映像サイズを設定する手段を有することによって、将来放送されるイベントの映像サイズを前もって設定することができる。
【０１２７】
すなわち、図１０に示すように、利用者によるリモートコントローラの操作等によってイベントが選択されると、まず、映像サイズ切換部ＳＷは映像視聴イベントが映像サイズ切換を実施したイベントか調べる（ステップＳＴＧ１）。
【０１２８】
映像サイズ切換実施なしイベントの場合（ステップＳＴＧ２）、映像サイズ切換部ＳＷは、番組表で予め映像サイズ設定されたイベントかどうか調べる（ステップＳＴＧ８）。番組表で予め映像サイズ設定されたイベントでない場合は（ステップＳＴＧ９）、映像サイズ切換部ＳＷは制御すべき映像サイズを「フル」と判定する（ステップＳＴＧ５）。
【０１２９】
番組表で予め映像サイズ設定されたイベントの場合は（ステップＳＴＧ９）、映像サイズ切換部ＳＷはイベント毎に番組表で予め設定されて映像サイズメモリＭに記憶された映像サイズを調べる（ステップＳＴＧ１０）。
【０１３０】
映像サイズメモリＭに記憶した映像サイズが「フル」の場合、映像サイズ切換部ＳＷは制御すべき映像サイズを「フル」と判定する（ステップＳＴＧ５）。映像サイズメモリＭに記憶した映像サイズが「ＨＤスーパーライブ」の場合、映像サイズ切換部ＳＷは制御すべき映像サイズを「ＨＤスーパーライブ」と判定する（ステップＳＴＧ６）。映像サイズメモリＭに記憶した映像サイズが「ＨＤズーム」の場合、映像サイズ切換部ＳＷは制御すべき映像サイズを「ＨＤズーム」と判定する（ステップＳＴＧ７）。
【０１３１】
映像サイズ切換実施ありイベントの場合（ステップＳＴＧ２）、映像サイズ切換部ＳＷはイベント毎に映像サイズメモリＭに記憶した映像サイズを調べる（ステップＳＴＧ３）。映像サイズメモリＭに記憶した映像サイズが「フル」の場合（ステップＳＴＧ４）、映像サイズ切換部ＳＷは制御すべき映像サイズを「フル」と判定する（ステップＳＴＧ５）。映像サイズメモリＭに記憶した映像サイズが「ＨＤスーパーライブ」の場合（ステップＳＴＧ４）、映像サイズ切換部ＳＷは制御すべき映像サイズを「ＨＤスーパーライブ」と判定する（ステップＳＴＧ６）。映像サイズメモリＭに記憶した映像サイズが「ＨＤズーム」の場合（ステップＳＴＧ４）、映像サイズメモリＭは制御すべき映像サイズを「ＨＤズーム」と判定する（ステップＳＴＧ７）。
【０１３２】
制御すべき映像サイズ情報が決まったところで、映像サイズ切換部ＳＷは、視聴イベントの映像サイズに対して、制御すべき映像サイズは変化があるか否かを判定する（ステップＳＴＧ１２）。視聴イベントの映像サイズに対して、制御すべき映像サイズが変化ありの場合、映像サイズ切換部ＳＷは映像サイズの変更処理を実施する（ステップＳＴＧ１３）。視聴イベントの映像サイズに対して、制御すべき映像サイズが変化なしの場合、映像サイズ切換部ＳＷは映像サイズの変更処理は実施しない。
【０１３３】
上記のように、本実施形態に係る映像表示装置および映像表示方法では、番組表上で選択したイベントの映像サイズを設定する。このことによって、利用者は将来放送されるイベントについて、イベント毎に利用者の趣向に合った映像サイズを前もって設定することが可能となる。その結果、利用者は、イベントを視聴中に映像サイズを切替える必要がなくなる。
【０１３４】
すなわち、本実施形態に係る映像表示装置および映像表示方法によれば、利用者が映像サイズモードを切り換える手間を削減し、使い勝手の良い映像表示装置および映像表示方法を提供することができる。
【０１３５】
次に、本発明の第８実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記録される記憶手段として映像サイズメモリＭを備えている。
【０１３６】
本実施形態に係る映像表示装置では、映像サイズ切換部ＳＷは映像サイズをシリーズ単位で設定する手段をさらに備えている。これにより、連続ドラマなど同一シリーズのイベントについては、前もって利用者が設定した映像サイズで視聴することができる。これにより、イベント毎に映像サイズを設定する手間を削減することができる。
【０１３７】
すなわち、図１１に示すように、利用者のリモートコントローラの操作等によってイベントが選択されると、まず、映像サイズ切換部ＳＷは、視聴イベントが映像サイズ切換を実施したイベントか否か調べる（ステップＳＴＨ１）。
【０１３８】
映像サイズ切換実施なしイベントの場合、映像サイズ切換部ＳＷは、視聴イベントが映像サイズ設定されているシリーズ番組かどうか調べる（ステップＳＴＨ８）。視聴イベントが映像サイズ設定されているシリーズ番組でない場合は（ステップＳＴＨ９）、映像サイズ切換部ＳＷは制御すべき映像サイズを「フル」と判定する（ステップＳＴＨ５）。
【０１３９】
視聴イベントが映像サイズ設定されているシリーズ番組の場合は（ステップＳＴＨ９）、映像サイズ切換部ＳＷはシリーズ毎に記憶した映像サイズを調べる（ステップＳＴＨ１０）。映像サイズメモリＭに記憶した映像サイズが「フル」の場合、映像サイズ切換部ＳＷは制御すべき映像サイズを「フル」と判定する（ステップＳＴＨ５）。
【０１４０】
映像サイズメモリＭに記憶した映像サイズが「ＨＤスーパーライブ」の場合、映像サイズ切換部ＳＷは制御すべき映像サイズを「ＨＤスーパーライブ」と判定する（ステップＳＴＨ６）。映像サイズメモリＭに記憶した映像サイズが「ＨＤズーム」の場合、映像サイズ切換部ＳＷは制御すべき映像サイズを「ＨＤズーム」と判定する（ステップＳＴＨ７）。
【０１４１】
映像サイズ切換実施ありイベントの場合（ステップＳＴＨ２）、映像サイズ切換部ＳＷはイベント毎に映像サイズメモリＭに記憶した映像サイズを調べる（ステップＳＴＨ３）。映像サイズメモリＭに記憶した映像サイズが「フル」の場合（ステップＳＴＨ４）、映像サイズ切換部ＳＷは、制御すべき映像サイズを「フル」と判定する（ステップＳＴＨ５）。
【０１４２】
映像サイズメモリＭに記憶した映像サイズが「ＨＤスーパーライブ」の場合（ステップＳＴＨ４）、映像サイズ切換部ＳＷは制御すべき映像サイズを「ＨＤスーパーライブ」と判定する（ステップＳＴＨ６）。映像サイズメモリＭに記憶した映像サイズが「ＨＤズーム」の場合（ステップＳＴＨ４）、映像サイズ切換部ＳＷは制御すべき映像サイズを「ＨＤズーム」と判定する（ステップＳＴＨ７）。
【０１４３】
制御すべき映像サイズ情報が決まったところで、映像サイズ切換部ＳＷは、視聴イベントに対して制御すべき映像サイズは変化があるか否かを判定する（ステップＳＴＨ１２）。視聴イベントに対して制御すべき映像サイズが変化ありの場合、映像サイズ切換部ＳＷは映像サイズの変更処理を実施する（ステップＳＴＨ１３）。視聴イベントに対して制御すべき映像サイズが変化なしの場合、映像サイズ切換部ＳＷは映像サイズの変更処理は実施しない。
【０１４４】
上記のように、本実施形態に係る映像表示装置および映像表示方法では、映像サイズをシリーズ単位で設定する。このことによって、連続ドラマなど同一シリーズのイベントについては、前もって利用者が設定した映像サイズで視聴することができる。その結果、利用者がイベント毎に映像サイズを設定する手間を削減することができる。
【０１４５】
すなわち、本実施形態に係る映像表示装置および映像表示方法によれば、利用者が映像サイズモードを切り換える手間を削減し、使い勝手の良い映像表示装置および映像表示方法を提供することができる。
【０１４６】
次に、本発明の第９実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記憶される記憶手段として映像サイズメモリＭを備えている。
【０１４７】
本実施形態に係る映像表示装置では、映像サイズ切換部ＳＷは、イベントタイトルなどの文字列検索でリストアップされたイベントについて、映像サイズを設定する手段をさらに有している。これにより、例えば連続ドラマなど、同一または類似タイトルのイベントについては、前もって利用者が設定した映像サイズで視聴することができる。その結果、利用者がイベント毎に映像サイズを設定する手間を削減することができる。
【０１４８】
すなわち、図１２に示すように、利用者のリモートコントローラの操作等によってイベントが選択されると、まず、映像サイズ切換部ＳＷは視聴イベントが映像サイズ切換を実施したイベントか否か調べる（ステップＳＴＩ１）。
【０１４９】
映像サイズ切換実施なしイベントの場合（ステップＳＴＩ２）、映像サイズ切換部ＳＷは、文字列検索結果の単位で映像サイズ設定されたイベントに当てはまるか調べる（ステップＳＴＩ８）。
【０１５０】
文字列検索結果の単位で映像サイズ設定されたイベントに当てはまらない場合は（ステップＳＴＩ９）、映像サイズ切換部ＳＷは制御すべき映像サイズを「フル」と判定する（ステップＳＴＩ５）。
【０１５１】
文字列検索結果の単位で映像サイズ設定されたイベントに当てはまる場合は（ステップＳＴＩ９）、映像サイズ切換部ＳＷは文字列検索結果の単位で映像サイズメモリＭに記憶した映像サイズを調べる（ステップＳＴＩ１０）。
【０１５２】
映像サイズメモリＭに記憶した映像サイズが「フル」の場合（ステップＳＴＩ１１）、映像サイズ切換部ＳＷは制御すべき映像サイズを「フル」と判定する（ステップＳＴＩ５）。映像サイズメモリＭに記憶した映像サイズが「ＨＤスーパーライブ」の場合（ステップＳＴＩ１１）、映像サイズ切換部ＳＷは制御すべき映像サイズを「ＨＤスーパーライブ」と判定する（ステップＳＴＩ６）。映像サイズメモリＭに記憶した映像サイズが「ＨＤズーム」の場合（ステップＳＴＩ１１）、映像サイズ切換部ＳＷは制御すべき映像サイズを「ＨＤズーム」と判定する（ステップＳＴＩ７）。
【０１５３】
映像サイズ切換実施ありイベントの場合（ステップＳＴＩ２）、映像サイズ切換部ＳＷはイベント毎に映像サイズメモリＭに記憶した映像サイズを調べる（ステップＳＴＩ３）。映像サイズメモリＭに記憶した映像サイズが「フル」の場合（ステップＳＴＩ４）、映像サイズメモリＭは制御すべき映像サイズを「フル」と判定する（ステップＳＴＩ５）。映像サイズメモリＭに記憶した映像サイズが「ＨＤスーパーライブ」の場合（ステップＳＴＩ４）、映像サイズ切換部ＳＷは制御すべき映像サイズを「ＨＤスーパーライブ」と判定する（ステップＳＴＩ６）。映像サイズメモリＭに記憶した映像サイズが「ＨＤズーム」の場合（ステップＳＴＩ４）、映像サイズ切換部ＳＷは制御すべき映像サイズを「ＨＤズーム」と判定する（ステップＳＴＩ７）。
【０１５４】
制御すべき映像サイズ情報が決まったところで、映像サイズ切換部ＳＷは、視聴イベントの映像サイズに対して、制御すべき映像サイズは変化があるか否かを判定する（ステップＳＴＩ１２）。視聴イベントの映像サイズに対して、制御すべき映像サイズが変化ありの場合、映像サイズ切換部ＳＷは映像サイズの変更処理を実施する（ステップＳＴＩ１３）。視聴イベントの映像サイズに対して、制御すべき映像サイズが変化なしの場合、映像サイズ切換部ＳＷは映像サイズの変更処理は実施しない。
【０１５５】
上記のように、本実施形態に係る映像表示装置および映像表示方法では、イベントタイトルなどの文字列検索でリストアップされたイベントについて、映像サイズを設定する。このことによって、例えば連続ドラマなど、同一または類似タイトルのイベントについては、前もって利用者が設定した映像サイズで視聴することができる。その結果、利用者がイベント毎に映像サイズを設定する手間を削減することができる。
【０１５６】
すなわち、本実施形態に係る映像表示装置および映像表示方法によれば、利用者が映像サイズモードを切り換える手間を削減し、使い勝手の良い映像表示装置および映像表示方法を提供することができる。
【０１５７】
次に、本発明の第１０実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記憶される記憶手段として映像サイズメモリＭを備えている。
【０１５８】
本実施形態に係る映像表示装置では、映像サイズ切換部ＳＷがイベント毎に映像サイズ設定を映像サイズメモリＭに記憶する際に、映像サイズが設定されたイベントのイベント情報（ネットワークＩＤ／サービスＩＤ／イベントＩＤ）と設定された映像サイズとをペア（組）で記憶する手段を有している。
【０１５９】
映像サイズを設定するイベントを特定するためには、そのイベントが放送されるネットワークを特定する情報、そのイベントが含まれるサービスを特定する情報、および、サービス内でイベントを特定する情報が必要である。
【０１６０】
イベント単位で映像サイズを記憶する方法としては、放送されるネットワークＩＤ／サービスＩＤ／イベントＩＤの組み合わせ毎に映像サイズ情報を持つ方法が考えられるが、放送されるネットワークＩＤ／サービスＩＤ／イベントＩＤの組み合わせは非常に多く、現在放送イベント意外のイベントまで考えるとその組み合わせは膨大なものになる。
【０１６１】
そこで、映像サイズ切換部ＳＷは、映像サイズが設定されたイベントのイベント情報（ネットワークＩＤ／サービスＩＤ／イベントＩＤ）と設定された映像サイズとをペア（組）で映像サイズメモリＭに記憶する。このようにイベント情報と映像サイズとをペア（組）で記憶すると、メモリ使用量を削減できる。
【０１６２】
例えば、ネットワークＩＤが“ＡＡＡ”、サービスＩＤが“ＢＢＢ”、イベントＩＤが“ＣＣＣ”であるイベントのイベント情報は、“ＡＡＡ／ＢＢＢ／ＣＣＣ”となる。このイベントについて、映像サイズが「ＨＤスーパーライブ」と設定された場合、例えば、映像サイズメモリＭのある記憶領域にイベント情報である“ＡＡＡ／ＢＢＢ／ＣＣＣ”が記憶され、次の記憶領域に映像サイズが「ＨＤスーパーライブ」と識別するための情報を記憶する。ここで、映像サイズが「ＨＤスーパーライブ」と識別するための情報は任意に定めた記号や数字であっても良く、文字列であっても良い。
【０１６３】
さらに、映像サイズ切換部ＳＷは、映像サイズが設定されたイベントのイベント情報（ネットワークＩＤ／サービスＩＤ／イベントＩＤ）と設定した映像サイズとをペア（組）で記憶するとき、後優先で映像サイズ設定情報を記憶する。つまり、映像サイズメモリＭに記憶する記憶データ件数を設定しておき、映像サイズ設定時に記憶データ件数をオーバーする場合は、設定時から一番時間が経過している情報から削除するようにする。このように記憶データ件数を設定することで、メモリ使用量を削減することができる。
【０１６４】
すなわち、図１３に示すように、まず、映像サイズ切換部ＳＷは、映像サイズ設定対象イベントのイベント情報（ネットワークＩＤ／サービスＩＤ／イベントＩＤ）を取得する（ステップＳＴＪ１）。
【０１６５】
次に、映像サイズ切換部ＳＷは、この映像サイズ設定対象イベントが映像サイズメモリＭの映像サイズ設定データベースに記憶済みのイベントか否か調べる（ステップＳＴＪ２）。映像サイズ設定対象イベントが映像サイズ設定データベースに記憶済みのイベントの場合（ステップＳＴＪ３）、映像サイズ切換部ＳＷは、映像サイズ設定対象イベントが記憶されていた記憶済みポジションのデータを詰める形で、データベースの最後尾までデータのソート処理を行う（ステップＳＴＪ９）。
【０１６６】
データのソート処理が終了すると、映像サイズ切換部ＳＷは、映像サイズ設定データベースの最後尾に映像サイズ設定対象イベントのイベント情報と設定された映像サイズ情報とを記憶する（ステップＳＴＪ８）。
【０１６７】
映像サイズ設定対象イベントが映像サイズ設定データベースに未記憶のイベントの場合（ステップＳＴＪ３）、映像サイズ切換部ＳＷは映像サイズ設定データベースに空きがあるか否か調べる（ステップＳＴＪ４）。
【０１６８】
映像サイズ設定データベースに空きがある場合は（ステップＳＴＪ５）、映像サイズ切換部ＳＷは、データベースの空きポジションに、映像サイズ設定対象イベントのイベント情報と設定された映像サイズ情報とを記憶する（ステップＳＴＪ６）。
【０１６９】
映像サイズ設定データベースに空きがない場合は（ステップＳＴＪ５）、映像サイズ切換部ＳＷは、データベースの先頭ポジションのデータを詰める形で、データベースの最後尾までデータのソート処理を行い（ステップＳＴＪ７）、データベースの最後尾に映像サイズ設定対象イベントのイベント情報と設定された映像サイズ情報を記憶する（ステップＳＴＪ８）。
【０１７０】
このとき、データベースの先頭に記憶していたデータが削除されるが、データベースの先頭に記憶している情報は、データベースに記憶された全データの中で映像サイズ設定時から一番時間が経っている情報となる。本実施形態に係る映像表示装置および映像表示方法では、映像サイズ設定時から一番時間が経っている情報から削除することで、利用者が必要とすると思われる最近設定された情報をなるべく削除しないように保護している。
【０１７１】
上記のように、本実施形態に係る映像表示装置および映像表示方法では、映像サイズが設定されたイベントのイベント情報（ネットワークＩＤ／サービスＩＤ／イベントＩＤ）と設定した映像サイズ情報とをペア（組）で記憶する。
【０１７２】
さらに、映像サイズ切換部ＳＷは映像サイズが設定されたイベントのイベント情報（ネットワークＩＤ／サービスＩＤ／イベントＩＤ）と設定した映像サイズ情報とをペア（組）で記憶するとき、記憶データ件数をオーバーする場合は、設定から一番時間が経っている情報から削除する。このことによって、最近設定された情報が保護されるとともに、新しい映像サイズ設定を行うことで時間が経過した映像サイズ設定は自動的に削除され、利用者が映像サイズ設定情報を判別して削除する手間を削減することができる。
【０１７３】
すなわち、本実施形態に係る映像表示装置および映像表示方法によれば、利用者が映像サイズモードを切り換える手間を削減し、使い勝手の良い映像表示装置および映像表示方法を提供することができる。
【０１７４】
次に、本発明の第１１実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記憶される記憶手段として映像サイズメモリＭを備えている。
【０１７５】
本実施形態に係る映像表示装置では、映像サイズ切換部ＳＷがイベント毎に映像サイズ設定を映像サイズメモリＭに記憶する際に、映像サイズが設定されたイベントのイベント情報（ネットワークＩＤ／サービスＩＤ／イベントＩＤ）と設定された映像サイズとをペア（組）で記憶する手段を有している。
【０１７６】
本実施形態に係る映像表示装置では、映像サイズ切換部ＳＷは、映像サイズが設定されたイベントのイベント情報と設定した映像サイズとをペア（組）で記憶する前に、既に終了したイベントの映像サイズ設定情報を削除する手段をさらに有している。このことによって、本実施形態に係る映像表示装置および映像表示方法では、メモリ使用量を削減する。
【０１７７】
上述の第１０実施形態に係る映像表示装置では、既に終了したイベントの映像サイズ情報まで映像サイズ設定メモリに記憶されていることがある。このような場合には、既に終了したイベントの映像サイズ設定に用いられているメモリの分、現在放送中のイベントまたは将来放送されるイベントの映像サイズ情報を記憶する件数が減ってしまう。
【０１７８】
そこで、本実施形態に係る映像表示装置および映像表示方法では、映像サイズが設定されたイベントのイベント情報と設定した映像サイズとをペア（組）で記憶する前に、映像サイズ切換部ＳＷが既に終了したイベントの映像サイズ設定情報を削除する手段を有している。
【０１７９】
すなわち、図１４に示すように、映像サイズ切換部ＳＷは、まず、映像サイズメモリＭの映像サイズ設定データベース内に既に終了したイベントの映像サイズ設定情報がないか否か調べる（ステップＳＴＫ１）。
【０１８０】
映像サイズ設定データベース内に既に終了したイベントの映像サイズ設定情報がない場合は、映像サイズ切換部ＳＷは、そのまま上述の第１０実施形態で説明したイベント情報と映像サイズ情報との記憶処理を行う（ステップＳＴＫ３）。
【０１８１】
映像サイズ設定データベース内に既に終了したイベントの映像サイズ設定情報がある場合は、映像サイズ切換部ＳＷは、終了したイベントの映像サイズ設定情報を記憶した記憶ポジションのデータを詰める形で映像サイズ設定データベースの最後尾までデータのソート処理を行う（ステップＳＴＫ２）。
【０１８２】
映像サイズ切換部ＳＷは、上記のソート処理を映像サイズ設定データベース内に既に終了したイベントの映像サイズ設定情報がなくなるまで繰り返し、映像サイズ設定データベース内に既に終了したイベントの映像サイズ設定情報がなくなったら、上述の第１０実施形態で説明したイベント情報と映像サイズ情報との記憶処理を行う（ステップＳＴＫ３）。
【０１８３】
上記のように、本実施形態に係る映像表示装置および映像表示方法では、映像サイズが設定されたイベントのイベント情報と設定した映像サイズをペア（組）で記憶する前に、既に終了したイベントの映像サイズ設定情報を削除する。
【０１８４】
このようにメモリ使用量を削減し、既に終了したイベントの映像サイズ情報を記憶することで、現在放送中のイベントまたは将来放送されるイベントの映像サイズ情報を記憶する件数が減ってしまうことを回避することができる。
【０１８５】
すなわち、本実施形態に係る映像表示装置および映像表示方法によれば、利用者が映像サイズモードを切り換える手間を削減し、使い勝手の良い映像表示装置および映像表示方法を提供することができる。
【０１８６】
次に、本発明の第１２実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記憶される記憶手段として映像サイズメモリＭを備えている。
【０１８７】
制御部６５は受信したイベントを２画面で表示させる手段を有し、映像サイズ切換部ＳＷは、２画面モードでも映像サイズを切替える映像サイズ制御手段を有している。２画面モードで表示可能な映像表示装置は、図３Ａに示すように、アスペクト比が１６：９の映像を表示する「フル」モードと、図３Ｂに示すように１６：９映像のサイドパネルＳＰ部分をカットして、中央の映像だけを抜き出し表示する「サイドカット」モードとが可能である。
【０１８８】
一般的にサイドパネルの無い真の１６：９映像を１画面モードで表示する場合は、アスペクト比を崩さない「フル」表示が好まれるが、画面を左右に並べて配置する２画面モードでは、サイドパネルＳＰ部分をカットした方が、映像を大きく表示することができるため、サイドパネル付きの１６：９映像は勿論、サイドパネルの無い真の１６：９映像であっても、図３Ｂに示すようにサイドパネル部分をカットしてサイドカットモードで表示させることがある。
【０１８９】
以下に、２画面モードでイベントを表示させた場合の映像サイズ切換動作の一例について説明する。図１５に示すように、まず、イベントが２画面モードで表示されると（ステップＳＴＬ１）、映像サイズ切換部ＳＷは、視聴イベントが２画面モードで映像サイズ切換を実施したイベントか否か調べる（ステップＳＴＬ２）。
【０１９０】
映像サイズ切換実施なしイベントの場合（ステップＳＴＬ３）、映像サイズ切換部ＳＷは、制御すべき映像サイズを「フル」と判定する（ステップＳＴＬ７）。映像サイズ切換実施ありイベントの場合（ステップＳＴＬ３）、映像サイズ切換部ＳＷは、イベント毎に映像サイズメモリＭに記憶した映像サイズを調べる（ステップＳＴＬ４）。
【０１９１】
映像サイズメモリＭに記憶した映像サイズが「フル」の場合（ステップＳＴＬ５）、映像サイズ切換部ＳＷは制御すべき映像サイズを「フル」と判定する（ステップＳＴＬ７）。映像サイズメモリＭに記憶した映像サイズが「サイドカット」の場合（ステップＳＴＬ５）、映像サイズ切換部ＳＷは制御すべき映像サイズを「サイドカット」と判定する（ステップＳＴＬ６）。
【０１９２】
制御すべき映像サイズ情報が決まったところで、映像サイズ切換部ＳＷは視聴イベントの映像サイズに対して、制御すべき映像サイズは変化があるか否かを判定する（ステップＳＴＬ８）。視聴イベントの映像サイズに対して、制御すべき映像サイズが変化ありの場合、映像サイズ切換部ＳＷは映像サイズの変更処理を実施する。視聴イベントの映像サイズに対して、制御すべき映像サイズが変化なしの場合、映像サイズ切換部ＳＷは映像サイズの変更処理は実施しない。
【０１９３】
上記のように映像サイズを切替えることによって、２画面モードで表示されたイベントについても、上述の第１実施形態に係る映像表示装置および映像表示方法と同様に映像サイズをイベント毎に切換ることが可能である。
【０１９４】
すなわち、本実施形態に係る映像表示装置および映像表示方法によれば、利用者が映像サイズモードを切り換える手間を削減し、使い勝手の良い映像表示装置および映像表示方法を提供することができる。
【０１９５】
なお、本実施形態に係る映像表示装置および映像表示方法は、第１実施形態に係る映像表示装置および映像表示方法を２画面モード表示可能な映像表示装置および映像表示方法に適用させたものであるが、同様に、第２実施形態乃至第１１実施形態に係る映像表示装置および映像表示方法を２画面モード表示可能な映像表示装置および映像表示方法に適用することも可能であって、いずれの場合も、上述の第２実施形態乃至第１１実施形態に係る映像表示装置および映像表示方法と同様の効果を得ることができる。
【０１９６】
次に、本発明の第１３実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記憶される記憶手段として映像サイズメモリＭとを備えている。
【０１９７】
制御部６５は、受信したイベントを２画面で表示させる手段を有し、映像サイズ切換部ＳＷは、２画面モードでも映像サイズを切替える映像サイズ制御手段を有している。映像サイズ切換部ＳＷの映像サイズ制御手段は、１画面モードで「ＨＤスーパーライブ」や「ＨＤズーム」と設定されたイベントを、２画面モードでは自動的にサイドパネル部分をカットして「サイドカット」モードで表示する。１画面モードで「ＨＤスーパーライブ」や「ＨＤズーム」が選ばれているということは、２画面でもサイドパネル部分をカットしても問題ないと判断できるからである。
【０１９８】
画面を左右に配置する２画面モードでは、サイドパネル部分をカットした方が、映像を大きく表示することができるため、自動的にサイドパネル部分をカットして表示することで、利用者の映像サイズ切換操作を削減できる。
【０１９９】
すなわち、図１６に示すように、イベントが２画面モードで表示されると（ステップＳＴＭ１）、まず、映像サイズ切換部ＳＷは視聴イベントが２画面モードで映像サイズ切換を実施したイベントか否か調べる（ステップＳＴＭ２）。
【０２００】
２画面モード映像サイズ切換実施なしイベントの場合（ステップＳＴＭ３）、映像サイズ切換部ＳＷは、１画面モードで映像サイズ切換を実施したイベントか否か調べる（ステップＳＴＭ８）。
【０２０１】
１画面モード映像サイズ切換実施なしイベントの場合、制御すべき映像サイズを「フル」と判定する。１画面モード映像サイズ切換実施ありイベントの場合（ステップＳＴＭ９）、イベント毎に映像サイズメモリＭに記憶した１画面モード映像サイズを調べる（ステップＳＴＭ１０）。映像サイズメモリＭに記憶した１画面モード映像サイズが「フル」の場合（ステップＳＴＭ１１）、映像サイズ切換部ＳＷは制御すべき映像サイズを「フル」と判定する（ステップＳＴＭ１２）。映像サイズメモリＭに記憶した１画面モード映像サイズが「ＨＤスーパーライブ」または「ＨＤズーム」の場合（ステップＳＴＭ１１）、映像サイズ切換部ＳＷは制御すべき映像サイズを「サイドカット」と判定する。
【０２０２】
２画面モード映像サイズ切換実施ありイベントの場合（ステップＳＴＭ３）、イベント毎に映像サイズメモリＭに記憶した２画面モード映像サイズを調べる（ステップＳＴＭ４）。映像サイズメモリＭに記憶した２画面モード映像サイズが「フル」の場合（ステップＳＴＭ５）、映像サイズ切換部ＳＷは、映像サイズ切換部ＳＷは制御すべき映像サイズを「フル」と判定する（ステップＳＴＭ６）。映像サイズメモリＭに記憶した２画面モード映像サイズが「サイドカット」の場合（ステップＳＴＭ５）、映像サイズ切換部ＳＷは制御すべき映像サイズを「サイドカット」と判定する（ステップＳＴＭ７）。
【０２０３】
制御すべき映像サイズ情報が決まったところで、映像サイズ切換部ＳＷは、視聴イベントの映像サイズに対して、制御すべき映像サイズは変化があるか否かを判定する（ステップＳＴＭ１４）。視聴イベントの映像サイズに対して、制御すべき映像サイズが変化ありの場合、映像サイズ切換部ＳＷは映像サイズの変更処理を実施する（ステップＳＴＭ１５）。視聴イベントの映像サイズに対して、制御すべき映像サイズが変化なしの場合、映像サイズ切換部ＳＷは映像サイズの変更処理は実施しない。
【０２０４】
上記のように、本実施形態に係る映像表示装置および映像表示方法では、２画面モードの際に、１画面モードの映像サイズ情報を２画面モードの映像サイズに反映させる映像サイズを制御する。このことによって、１画面モードから２画面モードへと画面表示を切替えた時に、利用者が改めて映像サイズ切換操作をすることを削減できる。
【０２０５】
すなわち、本実施形態に係る映像表示装置および映像表示方法によれば、利用者が映像サイズモードを切り換える手間を削減し、使い勝手の良い映像表示装置および映像表示方法を提供することができる。
【０２０６】
次に、本発明の第１４実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記憶される記憶手段として映像サイズメモリＭとを備えている。
【０２０７】
制御部６５は、受信したイベントを２画面で表示させる手段を有し、映像サイズ切換部ＳＷは、２画面モードでも映像サイズを切替える映像サイズ制御手段と、２画面モードにおいて、イベント毎の映像サイズ設定とは別に、映像サイズ切換を実施する前の映像サイズ、つまり映像サイズの初期値を設定する手段とを有する。
【０２０８】
このように２画面モードでの映像サイズの初期値を設定することを可能とすると、２画面モードの映像サイズ初期値を「サイドカット」にすることができ、利用者が２画面モードは基本的に「サイドカット」で表示したい場合、２画面モードでの映像サイズ切換操作を削減することができる。映像サイズ初期値は映像サイズメモリＭに記憶される。
【０２０９】
すなわち、図１７に示すように、まず、イベントが２画面モードで表示されると（ステップＳＴＮ１）、映像サイズ切換部Ｓｗは、視聴イベントが２画面モードで映像サイズ切換を実施したイベントか否か調べる（ステップＳＴＮ２）。
【０２１０】
映像サイズ切換実施なしイベントの場合（ステップＳＴＮ３）、映像サイズ切換部ＳＷは２画面モード映像サイズの初期値設定を調べる（ステップＳＴＮ８）。２画面モード映像サイズの初期値設定が「フル」の場合（ステップＳＴＮ９）、映像サイズ切換部ＳＷは制御すべき映像サイズを「フル」と判定する（ステップＳＴＮ６）。２画面モード映像サイズの初期値設定が「サイドカット」の場合（ステップＳＴＮ９）、映像サイズ切換部ＳＷは制御すべき映像サイズを「サイドカット」と判定する（ステップＳＴＮ７）。
【０２１１】
映像サイズ切換実施ありイベントの場合（ステップＳＴＮ３）、映像サイズ切換部ＳＷは、イベント毎に映像サイズメモリＭに記憶した映像サイズを調べる（ステップＳＴＮ４）。映像サイズメモリＭに記憶した映像サイズが「フル」の場合（ステップＳＴＮ５）、映像サイズメモリＭは制御すべき映像サイズを「フル」と判定する（ステップＳＴＮ６）。映像サイズメモリＭに記憶した映像サイズが「サイドカット」の場合（ステップＳＴＮ５）、映像サイズ切換部Ｓｗは制御すべき映像サイズを「サイドカット」と判定する（ステップＳＴＮ７）。
【０２１２】
制御すべき映像サイズ情報が決まったところで、映像サイズ切換部ＳＷは、視聴イベントの映像サイズに対して、制御すべき映像サイズは変化があるか否かを判定する（ステップＳＴＮ１０）。視聴イベントの映像サイズに対して、制御すべき映像サイズが変化ありの場合、映像サイズ切換部ＳＷは映像サイズの変更処理を実施する（ステップＳＴＮ１１）。視聴イベントの映像サイズに対して、制御すべき映像サイズが変化なしの場合、映像サイズ切換部ＳＷは映像サイズの変更処理は実施しない。
【０２１３】
上記のように、２画面モードにおいて、イベント毎の映像サイズ設定とは別に、映像サイズ切換を実施する前の映像サイズ、つまり映像サイズの初期値を設定する手段を用意することにより、２画面モードの映像サイズ初期値を「サイドカット」にすることができる。その結果、利用者が２画面モードは基本的に「サイドカット」で表示したい場合、２画面モードでの映像サイズ切換操作を削減することができる。
【０２１４】
すなわち、本実施形態に係る映像表示装置および映像表示方法によれば、利用者が映像サイズモードを切り換える手間を削減し、使い勝手の良い映像表示装置および映像表示方法を提供することができる。
【０２１５】
次に、本発明の第１５実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、複数の単位の中から選択して所望の単位で設定された映像サイズ情報を記憶する記憶手段として映像サイズメモリＭとを備えている。
【０２１６】
制御部６５は、映像サイズ設定時に、ＯＳＤ信号生成部６１を制御して、映像表示器１４の画面ＤＹＰに例えば図１８に示すような設定メニューを表示するメニュー表示手段（図示せず）をさらに有している。このように設定メニューを画面ＤＹＰに表示させることによって、利用者が映像サイズ制御に関する詳細な設定を実施できるようにする。
【０２１７】
すなわち、本実施形態に係る映像表示装置では、映像サイズ切換部ＳＷは、複数の単位で設定された映像サイズ情報を映像サイズメモリＭに記憶する手段と、それぞれの単位で設定された映像サイズ情報に基づいて、該当するイベントの映像サイズを切換える手段とを有している。
【０２１８】
映像サイズ切換の詳細設定のポップアップメニュー画面イメージ図の一例を図１８に示す。本実施形態にあっかる映像表示装置および映像表示方法では、利用者が映像サイズ設定をするときに、図１８に示すような設定メニュー画面を表示して、映像サイズ切換の詳細設定をしてもらう。
【０２１９】
図１８に示す設定メニュー画面では、例えば映像サイズ設定を記憶する単位を指定させる。利用者は、リモートコントローラ１７のカーソルボタン等を操作することによって、映像サイズ設定を記憶する単位を選択することができる。図１８に示す設定メニュー画面では、選局でかされる一時記憶、イベント単位での記憶、サービス単位での記憶、シリーズ単位での記憶、時間帯による記憶、文字列検索結果単位での記憶のいずれかから選択可能であり、画面サイズ設定を一時記憶とし選局によって画面サイズ設定が解除される場合が選択された状態を示している。
【０２２０】
上記のように、映像サイズ設定時に設定メニューを表示し、利用者が映像サイズ制御に関する詳細な設定を実施できるようにすることにより、映像サイズ切換設定の度に、利用者が映像サイズ制御に関する詳細な設定を実施することができる。さらに、イベント単位に記憶するか、サービス毎に記憶するかなど、映像サイズ設定の記憶単位を利用者が選択することができ、利用者の様々な要求に対応することが可能となる。
【０２２１】
すなわち、本実施形態に係る映像表示装置および映像表示方法によれば、利用者が映像サイズモードを切り換える手間を削減し、使い勝手の良い映像表示装置および映像表示方法を提供することができる。
【０２２２】
次に、本発明の第１６実施形態に係る映像表示装置および映像表示方法について図面を参照して以下に説明する。本実施形態に係る映像表示装置は、上述の第１実施形態に係る映像表示装置と同様に、図１に示すようなデジタルテレビジョン放送受信装置１１である。制御部６５は、映像表示器１４に表示される映像のサイズを変更する映像サイズ切換部ＳＷと、イベント（番組）毎に設定された映像サイズが記憶される記憶手段として映像サイズメモリＭとを備えている。
【０２２３】
制御部６５は、利用者による映像サイズ設定が実施されている場合に、選局時および画面表示時の情報表示で、例えば図１９に示すように映像サイズ情報を表示する映像サイズ情報表示手段（図示せず）を有している。
【０２２４】
または、制御部６５は、利用者による映像サイズ設定が実施されている場合だけ、選局時および画面表示時の情報表示で、映像サイズ情報の表示色または表示イメージを変更する映像サイズ情報表示手段（図示せず）を有している。
【０２２５】
図１９には、選局時および画面表示時の情報表示の画面イメージ図の一例を示している。図１９では、利用者による映像サイズ設定が実施され、映像サイズ設定が「ＨＤスーパーライブ」となっているため、色を変えて強調表示している場合を示している。
【０２２６】
つまり、映像サイズ情報表示手段は、映像サイズ設定が「ＨＤスーパーライブ」や「ＨＤズーム」のときだけ（２画面モードでは「サイドカット」のときだけ）、ＯＳＤ信号生成部６１を制御して、選局時および画面表示時の情報表示で、映像サイズ情報を表示する。
【０２２７】
または、映像サイズ情報表示手段は、映像サイズ設定が「ＨＤスーパーライブ」や「ＨＤズーム」のときだけ（２画面モードでは「サイドカット」のときだけ）、ＯＳＤ信号生成部６１を制御して選局時および画面表示時の情報表示で、映像サイズ情報の表示色または表示イメージを変更する。
【０２２８】
上記のように映像サイズ情報を表示することで、選局時および画面表示時の情報表示で、映像サイズ情報を表示していない場合、および、映像サイズ切換の実施の有無に関係なく常に映像サイズ情報を同じように表示している場合と比べて、映像サイズ設定が行われていることを利用者に強く認識させることができる。
【０２２９】
映像サイズをイベントやサービス毎に記憶した場合、選局操作により映像サイズが自動的に切り換わるため、今現在どの映像サイズで視聴しているか利用者が把握しにくいことがあるが、利用者による映像サイズ設定が実施されている場合に限って、選局時および画面表示時の情報表示で映像サイズ情報を強調して表示することで、利用者の使い勝手を改善することができる。
【０２３０】
すなわち、本実施形態に係る映像表示装置および映像表示方法によれば、利用者が映像サイズモードを切り換える手間を削減し、使い勝手の良い映像表示装置および映像表示方法を提供することができる。
【０２３１】
なお、この発明は、上記実施形態そのままに限定されるものではなく、実施段階ではその要旨を逸脱しない範囲で構成要素を変形して具体化できる。例えば、上記の映像表示装置は、画面ＤＹＰを有する映像表示器１４を一体に備えていたが、映像表示器１４は外部に接続されるものであっても良い。
【０２３２】
さらに、上記の実施形態に係る映像表示装置では、映像サイズを「フル」、「ＨＤスーパーライブ」、あるいは「ＨＤズーム」のいずれかに切換えていたが、他の映像サイズに切換えることが可能な映像表示装置では、他の映像サイズに切換えるものであってもかまわない。
【０２３３】
また、上述の第１０実施形態および第１１実施形態に係る映像表示装置では、映像サイズが設定されたイベントのイベント情報（ネットワークＩＤ／サービスＩＤ／イベントＩＤ）と設定された映像サイズとをペア（組）で記憶していたが、イベント情報はネットワークＩＤ／サービスＩＤ／イベントＩＤに限らず、イベントを特定することが可能な情報であればよい。
【０２３４】
さらに、第２実施形態に係る映像表示装置のようにサービス単位で設定された映像サイズを映像サイズメモリＭに記憶させる際には、イベントを特定する必要はないため、ネットワークを特定する情報およびサービスを特定する情報をイベント情報として映像サイズメモリＭに記憶すればよい。
【０２３５】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【符号の説明】
【０２３６】
ＳＷ…映像サイズ切換部、Ｍ…映像サイズメモリ、１１…デジタルテレビジョン放送受信装置、１４…映像表示器、４７、５２…アンテナ、４９、５４…チューナ、５１…信号処理部、６２…映像処理部、６５…制御部
【図１】
2010283861.tif 000003
【図２Ａ】
2010283861.tif 000004
【図２Ｂ】
2010283861.tif 000005
【図２Ｃ】
2010283861.tif 000006
【図２Ｄ】
2010283861.tif 000007
【図３Ａ】
2010283861.tif 000008
【図３Ｂ】
2010283861.tif 000009
【図４】
2010283861.tif 000010
【図５】
2010283861.tif 000011
【図６】
2010283861.tif 000012
【図７】
2010283861.tif 000013
【図８】
2010283861.tif 000014
【図９】
2010283861.tif 000015
【図１０】
2010283861.tif 000016
【図１１】
2010283861.tif 000017
【図１２】
2010283861.tif 000018
【図１３】
2010283861.tif 000019
【図１４】
2010283861.tif 000020
【図１５】
2010283861.tif 000021
【図１６】
2010283861.tif 000022
【図１７】
2010283861.tif 000023
【図１８】
2010283861.tif 000024
【図１９】
2010283861.tif 000025